(57)【要約】【課題】ネットワークを介して供給される符号化されたビデオ信号を復号化して出力する複数の信号処理部を備えた映像信号受信装置において、各出力信号の位相を同期させて出力する映像信号受信装置を提供する。【解決手段】各々がネットワークを介して供給される時間情報および符号化された映像信号を受信して、時間情報に基づいて同期信号を生成し、同期信号に同期して映像信号を復号化してこれを出力ビデオ信号として出力する複数の信号処理部を備えた映像信号受信装置において、複数の信号処理部の各々から出力される出力ビデオ信号のうちの１つから同期信号を抽出して、これを第１同期信号として信号処理部の各々に分配する同期信号分配部を含み、複数の信号処理部の各々は、時間情報に基づいて第２同期信号を生成する第２同期信号生成部と、第１および第２同期信号のいずれかを選択する同期信号選択部と、同期信号選択部によって選択された１の同期信号に応じたタイミングで映像信号を復号化して出力ビデオ信号を生成する復号部と、を含む。【選択図】図４
2010074497.tif 000002
【特許請求の範囲】
【請求項１】
各々がネットワークを介して供給される時間情報および符号化された映像信号を受信して、前記時間情報に基づいて同期信号を生成し、前記同期信号に同期して前記映像信号を復号化してこれを出力ビデオ信号として出力する複数の信号処理部を備えた映像信号受信装置であって、
前記複数の信号処理部の各々から出力される前記出力ビデオ信号のうちの１つから同期信号を抽出して、これを第１同期信号として前記信号処理部の各々に分配する同期信号分配部を含み、
前記複数の信号処理部の各々は、
前記時間情報に基づいて第２同期信号を生成する第２同期信号生成部と、
前記第１および第２同期信号のいずれかを選択する同期信号選択部と、
前記同期信号選択部によって選択された１の同期信号に応じたタイミングで前記映像信号を復号化して前記出力ビデオ信号を生成する復号部と、を含むことを特徴とする映像信号受信装置。
【請求項２】
前記同期信号分配部は、前記複数の信号処理部の各々から出力される前記出力ビデオ信号の各々が入力され、これらのうちの１つを選択する出力ビデオ信号選択部と、
選択された１の出力ビデオ信号から同期信号を抽出する同期信号抽出部と、
抽出された同期信号が入力され、これと同一位相かつ同一周波数の同期信号を前記第１同期信号として出力するＰＬＬ（位相同期回路）と、を含むことを特徴とする請求項１に記載の映像信号受信装置。
【請求項３】
前記信号処理部の各々の前記同期信号選択部および前記出力ビデオ信号選択部にいずれの信号を選択すべきかを示す選択指令を供給する制御部を更に有し、
前記制御部は、前記出力ビデオ信号選択部によって選択された出力ビデオ信号の供給元に該当する信号処理部の前記同期信号選択部に対しては前記第２同期信号を選択すべき選択指令を供給し、それ以外の信号処理部の前記同期信号選択部に対しては前記第１同期信号を選択すべき選択指令を供給することを特徴とする請求項１又は２に記載の映像信号受信装置。
【請求項４】
前記複数の信号処理部の各々は、前記同期信号選択部によって選択された前記第１又は第２同期信号が入力され、これと同位相且つ同一周波数の第３同期信号と、前記第３同期信号に位相同期し且つ第３同期信号を逓倍したクロック信号を出力するＰＬＬ（位相同期回路）を更に有し、
前記復号部は、前記第３同期信号および前記クロック信号に同期して前記映像信号を復号化して前記出力ビデオ信号を生成することを特徴とする請求項１乃至３のいずれか１に記載の映像信号受信装置。
【発明の詳細な説明】
【技術分野】
【０００１】
本発明は、映像信号受信装置に関し、特にネットワークを介して供給される映像信号を複数の受信装置間で同期再生する技術に関する。
【背景技術】
【０００２】
ブロードバンドネットワークの拡大により、ＩＰネットワークを利用して映像通信を行うシステムの実現が可能となった。図１に、ネットワークを介して複数の送信装置および受信装置を用いて映像信号を送受信する映像信号伝送システムの全体構成を示す。
【０００３】
複数のビデオ信号源１０は、例えば動画像を撮影するカメラや蓄積メディアを再生出力するＤＶＤプレーヤ等の映像機器である。同期信号源１２は、各ビデオ信号源１０に対して同期信号を供給する。各ビデオ信号源１０は、供給された同期信号に同期して送信ビデオ信号を生成し、これを後段の送信装置１１に供給する。
【０００４】
送信装置１１は、受信した送信ビデオ信号から同期信号を抽出し、この同期信号に従うタイミングでこれを符号化、フォーマット変換する等の信号処理を行い、符号化された符号化ビデオ信号を含むビデオパケットを生成する。更に、送信装置１１は、送信装置１１と受信装置１２との間で同期をとるために必要な時間情報を含む時間情報パケットを生成する。時間情報は、受信装置１２において受信した符号化ビデオ信号を復号化する際に用いられるビデオ同期信号の周波数情報を少なくとも含んでいる。送信装置１１は、生成したビデオパケットと時間情報パケットをネットワーク３０を介して受信装置１２に向けて送出する。
【０００５】
ネットワーク３０に接続された複数の受信装置１２の各々は、送信装置１１から供給された時間情報に基づいてシステムクロック信号およびビデオ同期信号を生成する。そして、これらのシステムクロック信号およびビデオ同期信号に同期して、受信した符号化ビデオ信号を復号化した後、フォーマット変換する等の信号処理を行って、出力ビデオ信号を生成し、これを後段の外部装置２０に供給する。
【０００６】
外部装置２０は、表示モニタを備えた映像受信端末、出力ビデオ信号を記録する記録媒体、または複数の受信装置１２から出力される出力ビデオ信号を入力し、このうちのいずれかを更に後段の機器に出力する切り替えスイッチ等である。
【特許文献１】特開２００７−２０１７９７号公報
【発明の開示】
【発明が解決しようとする課題】
【０００７】
上記した従来のシステムおよび受信装置においては、以下の問題があった。図２は、従来の映像信号伝送システムにおける送信装置１１および受信装置１２において生成されるビデオ同期信号およびビデオ信号のタイミングチャートである。送信装置１１は、ビデオ信号源１０から供給される送信ビデオ信号から同期信号を抽出し、これに同期したタイミングで送信ビデオ信号を符号化して符号化ビデオ信号を生成する。すなわち、送信装置１１は、同期信号に従うタイミングで符号化ビデオ信号の構成単位である映像フレームを生成する。図２において符号化ビデオ信号に付された番号は、フレーム番号を示すものである。送信装置１１は符号化した符号化ビデオ信号を含むビデオパケットを、時間情報パケットとともにネットワーク３０を介して複数の受信装置１２に向けて送信する。ビデオパケットおよび時間情報パケットを受信した各受信装置１２は、受信した時間情報に基づいて、ビデオ同期信号を生成し、これに同期して順次供給される符号化ビデオ信号を復号化して復号化ビデオ信号を生成する。受信装置１２は、さらに復号化ビデオ信号に対してフォーマット変換等の信号処理を行って、これを出力ビデオ信号として出力する。ここで、ネットワーク上におけるパケット到達間隔のばらつきにより、複数の受信装置１２間でパケットを受信する時刻が異なり、その結果、受信装置１２間で出力ビデオ信号に位相差が生じる。その結果、後段の外部装置２０間で、受信する出力ビデオ信号の切り替え（チャンネル切り換え）を行うと、ビデオ同期信号に乱れが生じ、後段装置における出力ビデオ信号の処理（例えばフォーマット変換等）を適正に行うことができず、後段装置の運用上の制約が生じていた。
【０００８】
本発明は、上記した点に鑑みてなされたものであり、ネットワークを介して供給される符号化されたビデオ信号を復号化して出力する複数の信号処理部を備えた映像信号受信装置において、各出力信号の位相を同期させて出力する映像信号受信装置を提供することを目的とする。
【課題を解決するための手段】
【０００９】
本発明の映像信号受信装置は、各々がネットワークを介して供給される時間情報および符号化された映像信号を受信して、前記時間情報に基づいて同期信号を生成し、前記同期信号に同期して前記映像信号を復号化してこれを出力ビデオ信号として出力する複数の信号処理部を備えた映像信号受信装置であって、前記複数の信号処理部の各々から出力される前記出力ビデオ信号のうちの１つから同期信号を抽出して、これを第１同期信号として前記信号処理部の各々に分配する同期信号分配部を含み、前記複数の信号処理部の各々は、前記時間情報に基づいて第２同期信号を生成する第２同期信号生成部と、前記第１および第２同期信号のいずれかを選択する同期信号選択部と、前記同期信号選択部によって選択された１の同期信号に応じたタイミングで前記映像信号を復号化して前記出力ビデオ信号を生成する復号部と、を含むことを特徴としている。
【発明の効果】
【００１０】
本発明の映像信号受信装置によれば、ネットワークを介して供給される符号化されたビデオ信号を復号化して出力する複数の信号処理部の各々から、互いに位相同期した出力ビデオ信号を得ることができるので、後段装置における出力ビデオ信号の切り替え（チャンネル切り換え）等を何らの制約を伴いことなく行うことが可能となる。
【発明を実施するための形態】
【００１１】
以下、本発明の実施例について図面を参照しつつ説明する。尚、以下に示す図において、実質的に同一又は等価な構成要素又は部分には同一の参照符を付している。
【００１２】
図３は、本発明の実施例である映像信号受信装置１００を適用した映像信号伝送システムの構成例を示すブロック図である。以下、本システムの構成について説明する。
【００１３】
ビデオ信号源１０は、例えば動画像を撮影するカメラや蓄積メディアを再生出力するＤＶＤプレーヤ、ブルーレイディスクプレーヤ、テレビチューナ等のビデオ信号の出力機能を備えた映像機器である。本実施例においては、複数のビデオ信号源１０をシステム内に導入しているが、ビデオ信号源１０は少なくとも１つ備えていればよい。
【００１４】
同期信号源１２は、各ビデオ信号源１０に対して同期信号を供給する。各ビデオ信号源１０は、供給された同期信号に位相同期して送信ビデオ信号を生成し、これを対応する送信装置１１に供給する。
【００１５】
送信装置１１は、各ビデオ信号源１０の後段に設けられ、それぞれネットワーク３０に接続される。送信装置１１は、各ビデオ信号源から供給される送信ビデオ信号からビデオ同期信号を抽出し、この抽出したビデオ同期信号に同期して送信ビデオ信号を符号化した符号化ビデオ信号を含むビデオパケットを生成する。また、送信装置１１は、ビデオ信号の供給先となる映像信号受信装置１００との間で同期をとるために必要な時間情報を含む時間情報パケットを生成する。時間情報は、映像信号受信装置１００が受信した符号化ビデオ信号を復号化する際に用いられるビデオ同期信号の周波数情報を少なくとも含んでいる。送信装置１１は、生成したビデオパケットおよび時間情報パケットをネットワーク３０を介して映像信号受信装置１００に送信する。
【００１６】
ネットワーク３０は、送信装置１１から送出されたビデオパケットおよび時間情報パケットを映像信号受信装置１００に伝送するためのＩＰネットワークや専用線ネットワーク等の通信網である。
【００１７】
映像信号受信装置１００は、送信装置１１からの符号化ビデオ信号を復号化して出力ビデオ信号を生成するものである。このとき映像信号受信装置１００は、送信装置１１から供給される時間情報に基づいて、システムクロック信号Ｖｃｋおよびビデオ同期信号Ｖｂを生成し、これらに同期して出力ビデオ信号を生成し、出力する。映像信号受信装置１００は、ネットワーク３０に接続されたＮ個の信号処理部１１０と、同期信号分配部１３０と、制御部１４０とにより構成される。
【００１８】
図４は、映像信号受信装置１００のより詳細な構成を示すブロック図である。信号処理部１１０の各々は、送信装置１１から供給される時間情報に基づいて、送信装置１１の符号化処理に用いられるビデオ同期信号に同期したシステムクロック信号Ｖｃｋおよびビデオ同期信号Ｖｂを生成するための機能ブロックとして、同期信号生成部１１５、同期信号選択部１１６、位相比較器１１７、ループフィルタ１１８、電圧制御発振器（ＶＣＸＯ）１１９および分周器１２０を備えている。
【００１９】
同期信号生成部１１５は、送信装置１１から供給される時間情報に基づいて送信装置１１の符号化処理に用いられるビデオ同期信号と同一の周波数を有するビデオ同期信号Ｖａを生成する。尚、この段階で生成されるビデオ同期信号Ｖａは、ネットワーク上におけるパケット到達間隔のばらつきにより、各信号処理部１１０間で互いに位相差を生じている。
【００２０】
同期信号選択部１１６は、同期信号生成部１１５から供給されるビデオ同期信号Ｖａと後述する同期信号分配部１３０から供給される選択同期信号Ｖｓのいずれかを制御部から供給される選択指令Ｓ１に基づいて選択し、出力する。
【００２１】
位相比較１１７、ループフィルタ１１８、電圧制御発振器（ＶＣＸＯ）１１９、および分周器１２０は、ＰＬＬ（位相同期回路）を構成し、同期信号選択部１１６によって選択されたビデオ同期信号Ｖａ又は選択同期信号Ｖｓと同位相且つ同一周波数の新たなビデオ同期信号Ｖｂと、このビデオ同期信号Ｖｂを逓倍したシステムクロック信号Ｖｃｋを出力する。
【００２２】
また、信号処理部１１０の各々は、送信装置１１から供給される符号化ビデオ信号を内部で生成したビデオ同期信号Ｖｂおよびシステムクロック信号Ｖｃｋに同期して復号化およびフォーマット変換等の信号処理を行い、これを出力ビデオ信号ＶＯ１〜ＶＯＮとして出力するための機能ブロックとして、ビデオデコーダ１１２、ビデオバッファ１１３およびビデオフォーマット生成部１１４を備えている。
【００２３】
パケット分配部１１１は、送信装置１１から送信されたビデオパケットおよび時間情報パケットを受信し、ビデオパケットをビデオデコーダ１１２に、時間情報パケットを同期信号生成部１１５に分配する。
【００２４】
同期信号分配部１３０は、複数の信号処理部１１０の各々によって生成された出力ビデオ信号ＶＯ１〜ＶＯＮおよび外部信号ＶＯＸを入力し、制御部１４０からの選択指令Ｓ２に基づいて、入力された出力ビデオ信号ＶＯ１〜ＶＯＮおよび外部信号ＶＯＸのいずれか１つを選択する出力ビデオ信号選択部１３１と、出力ビデオ信号選択部１３１が選択した１の出力ビデオ信号からビデオ同期信号を抽出する同期信号抽出部１３２と、同期信号抽出部１３２が抽出したビデオ同期信号と同位相且つ同一周波数の選択同期信号Ｖｓを生成し、これを各信号処理部１１０の同期信号選択部１１６へ分配するＰＬＬ部１３３と、により構成される。ＰＬＬ回路１３３は、位相比較器１３４、ループフィルタ１３５、電圧制御発振器（ＶＣＸＯ）１３６および分周器１３７により構成される。
【００２５】
制御部１４０は、信号処理部１１０の各々に上記選択指令Ｓ１を送信するとともに同期信号分配部１３０に上記選択指令Ｓ２を送信する。
【００２６】
次に、上記した映像信号伝送システムを構成する各構成部の動作について説明する。同期信号源１２は、各ビデオ信号源１０に対して継続的に同期信号を供給する。ビデオ信号源１０の各々は、供給された同期信号に位相同期して送信ビデオ信号を生成する。各ビデオ信号源１０から送出される送信ビデオ信号は、この同期信号によって互いに同位相で出力される。各ビデオ信号源１０からの送信ビデオ信号は、後段の送信装置１１にそれぞれ供給される。
【００２７】
送信装置１１は、受信した送信ビデオ信号に含まれるビデオ同期信号を抽出し、これに同期して送信ビデオ信号の符号化処理を行い、符号化ビデオ信号を生成する。送信装置１１は、１つの映像フレームに対応する符号化ビデオ信号を含むビデオパケットを生成する。また送信装置１１は、ビデオ信号の供給先となる映像信号受信装置１００との間で同期をとるための時間情報を含む時間情報パケットを生成する。映像信号受信装置１００は、この時間情報を参照することで、送信装置１１の符号化処理に用いられたビデオ同期信号と同一周波数のビデオ同期信号を生成することが可能となる。このように、送信側と受信側とでビデオ同期信号の周波数を合わせることで、送信側の符号化処理と、受信側の復号処理のタイミングを合わせることが可能となる。つまり、受信側の復号化処理が送信側の符号化処理に比べ早すぎると、受信側はデータを受信するよりも早く処理を進めようとするため、受信側のバッファメモリが空になってしまい、映像が途切れてしまうことになる。一方、受信側の復号化処理が送信側の符号化処理に比べ遅すぎると、受信側のバッファメモリがオーバーフローとなってしまう。従って、受信側と送信側で同一周波数のビデオ同期信号を用いて信号処理を行うことで、このような問題を回避することが可能となるのである。送信装置１１から供給される時間情報は、受信側で生成すべきビデオ同期信号の周波数情報を少なくとも含んでいる。送信装置１１は、生成したビデオパケットおよび時間情報パケットをそれぞれネットワーク３０を介して映像信号受信装置１００に向けて送信する。
【００２８】
送信装置１１から送出されたビデオパケットおよび時間情報パケットは、映像信号受信装置１００の信号処理部１１０の各々によって受信される。パケット分配部１１１は、受信したビデオパケットをビデオデコーダ１１２に、時間情報パケットを同期信号生成部１１５に分配する。
【００２９】
同期信号生成部１１５は、受信した時間情報に基づいて送信装置１１の符号化処理に用いられたビデオ同期信号と同一周波数のビデオ同期信号Ｖａを生成し、これを同期信号選択部１１６に供給する。
【００３０】
同期信号選択部１１６には、ビデオ同期信号Ｖａの他、同期信号分配部１３０より選択同期信号Ｖｓが供給され、また、制御部１４０より選択指令Ｓ１が供給される。選択同期信号Ｖｓは後述するように、各信号処理部１１０において生成された出力ビデオ信号ＶＯ１〜ＶＯＮ又は外部信号ＶＯＸのうちの１つから抽出されたビデオ同期信号であり、全ての信号処理部１１０に対して供給されるものである。同期信号選択部１１６は、選択指令Ｓ１に基づいてビデオ同期信号Ｖａ又は選択同期信号Ｖｓのいずれか一方を選択して出力する。ここで制御部１４０は、各信号処理部１１０に対して選択同期信号Ｖｓを選択するべく選択指令Ｓ１が発するが、選択同期信号Ｖｓの生成に使用された出力ビデオ信号の供給元に該当する信号処理部に限っては、当該信号処理部１１０内にて生成したビデオ同期信号Ｖａを選択するべく選択指令を発する。かかる選択指令によって、送信側と受信側のビデオ同期信号の周波数の同一性が確保される。
【００３１】
同期信号選択部１１６は、選択したビデオ同期信号Ｖａ又は選択同期信号Ｖｓを位相比較器１１７に供給する。位相比較器１１７は、同期信号選択部１１６から供給されるビデオ同期信号（Ｖａ又はＶｓ）と分周器１２０の出力信号との位相差に応じた電圧レベルを有する位相差検知信号を生成する。ループフィルタ１１８は、ローパスフィルタによって構成され、リプルを含んだ位相差検知信号を平滑化し、交流成分のない直流電圧を生成する。電圧制御発振器（ＶＣＸＯ）１１９は、ループフィルタ１１８より供給される直流電圧に応じた周波数のパルス信号を生成する。電圧制御発振器（ＶＣＸＯ）１１９からのパルス信号は、分周器１２０によって周波数が1／Ｎ倍に分周される。分周器１２０によって分周されたパルス信号は、位相比較器１１７に戻される。このように、位相比較器１１７、ループフィルタ１１８、電圧制御発振器（ＶＣＸＯ）１１９および分周器１２０によって、ＰＬＬ（位相同期回路）が構成され、入力信号（Ｖａ又はＶｓ）と分周器１２０を経た出力信号が同位相且つ同一周波数となるように制御される。分周器１２０の出力信号は、ビデオ同期信号Ｖａ又は選択同期信号Ｖｓと同位相且つ同一周波数を有する新たなビデオ同期信号Ｖｂとしてビデオデコーダ１１２およびビデオフォーマット生成部１１４に供給される。一方、分周器１２０を経る前の電圧制御発振器（ＶＣＸＯ）１１９の出力信号は、ビデオ同期信号Ｖｂに対して位相同期し、且つ周波数がＮ倍されたパルス信号となる。かかる電圧制御発振器（ＶＣＸＯ）１１９の出力信号は、システムクロック信号Ｖｃｋとしてビデオデコーダ１１２およびビデオフォーマット生成部１１４に供給される。
【００３２】
ビデオデコーダ１１２は、信号処理部１１０内のＰＬＬで生成したビデオ同期信号Ｖｂおよびシステムクロック信号Ｖｃｋに応じたタイミングでパケット分配部１１１より供給されるビデオパケットに含まれる符号化ビデオ信号を復号化する。ビデオデコーダ１１２は、ビデオ同期信号Ｖｂに応じたタイミングで復号化処理をなすことで、送信装置１１における符号化処理とのタイミングの調和が図られる。ビデオデコーダ１１２によって復号化されたビデオ信号はビデオバッファ１１３に順次供給され、ここに一時的に蓄積される。
【００３３】
ビデオフォーマット生成部１１４は、ビデオ同期信号Ｖｂおよびシステムクロック信号Ｖｃｋに基づくタイミングでビデオバッファ１１３から復号化されたビデオ信号を読み出して、ＮＴＳＣ、ＳＤＴＶ−ＳＤＩ、ＨＤＴＶ−ＳＤＩ等のフォーマットを生成し、これを出力ビデオ信号ＶＯ１〜ＶＯＮとして出力する。各信号処理部１１０から出力される出力ビデオ信号ＶＯ１〜ＶＯＮは、それぞれ、後段の外部装置２０に供給されるとともに、同期信号分配部１３０に供給される。
【００３４】
信号処理部１１０の各々から出力された出力ビデオ信号ＶＯ１〜ＶＯＮは、それぞれ同期信号分配部１３０の出力ビデオ信号選択部１３１に供給される。出力ビデオ信号選択部１３１には、これ以外に外部信号ＶＯＸが供給される。外部信号ＶＯＸは、外部から供給される任意のビデオ同期信号を含んだ信号である。出力ビデオ信号選択部１３１は、制御部１４０から供給される選択指令Ｓ２に基づいて、入力された出力ビデオ信号ＶＯ１〜ＶＯＮ又は外部信号ＶＯＸのうちのいずれか１つを選択し、これを同期信号抽出部１３２に供給する。
【００３５】
同期信号抽出部１３２は、選択された１の出力ビデオ信号ＶＯ１〜ＶＯＮ又は外部信号ＶＯＸからビデオ同期信号を抽出する。出力ビデオ信号ＶＯ１〜ＶＯＮは、ヘッダ部とデータ部からなるデータフレームによって構成され、同期信号抽出部１３２はヘッダ部の記述からビデオ同期信号を抽出する。抽出されたビデオ同期信号は、ＰＬＬ（位相同期回路）１３３に供給される。
【００３６】
位相比較器１３４は、同期信号抽出部１３２から供給されるビデオ同期信号と分周器１３７の出力信号との位相差に応じた電圧レベルを有する位相差検知信号を生成する。ループフィルタ１３５は、ローパスフィルタによって構成され、リプルを含んだ位相差検知信号を平滑化し、交流成分のない直流電圧を生成する。電圧制御発振器（ＶＣＸＯ）１３６は、ループフィルタ１３５より供給される直流電圧に応じた周波数のパルス信号を生成する。電圧制御発振器（ＶＣＸＯ）１３６からのパルス信号は、分周器１３７によって周波数が1／Ｎ倍に分周される。分周器１２０によって分周されたパルス信号は、位相比較器１３４に戻される。このように、位相比較器１３４、ループフィルタ１３５、電圧制御発振器（ＶＣＸＯ）１３６および分周器１３７によって、ＰＬＬ（位相同期回路）が構成され、入力信号であるビデオ同期信号と分周器１３７を経た出力信号が同位相且つ同一周波数となるように制御される。分周器１３７の出力信号は、出力ビデオ信号Ｖｏ１〜ＶｏＮ又は外部信号ＶｏＸから抽出されたビデオ同期信号と同位相且つ同一周波数を有する選択同期信号Ｖｓとして出力され、各信号処理部１１０に分配される。上記したように、信号処理部１１０の各々は、同期信号分配部１３０によって生成された共通の選択同期信号Ｖｓ基づいて生成されたビデオ同期信号Ｖｂおよびシステムクロック信号Ｖｃｋに同期して出力ビデオ信号ＶＯ１〜ＶＯＮを生成するので、各信号処理部１１０から出力される出力ビデオ信号ＶＯ１〜ＶＯＮ間に生じる位相差を解消することができる。
【００３７】
制御部１４０は、同期信号分配部１３０において各信号処理部１１０より出力される出力ビデオＶＯ１〜ＶＯＮ又は外部信号ＶＯＸのうち、いずれを選択するかを判断する。この場合、いずれの信号を選択しても、各出力ビデオ信号間の位相差を解消することが可能であるが、制御部１４０は、例えば、異常が生じている出力ビデオ信号以外の信号を選択するべく選択指令Ｓ２を発する。また、制御部１４０は、例えば第１番目の信号処理部１１０が出力する出力ビデオ信号ＶＯ１を選択するべく選択指令Ｓ２を発した場合には、当該信号処理部１１０に対しては、当該信号処理部１１０内で生成したビデオ同期信号Ｖａを選択するべく同期信号選択部１１６に選択指令Ｓ１を発する。この場合、２〜Ｎ番目の信号処理部１１０に対しては、同期信号分配部１３０において生成した選択同期信号Ｖｓを選択するべく選択指令Ｓ１を発する。制御部１４０がかかる制御をなすことにより、出力ビデオ信号ＶＯ１〜ＶＯＮ間に生じる位相差を解消するとともに、送信側と受信側のビデオ同期信号の周波数の同一性を確保している。
【００３８】
図５は、送信装置１１および信号処理部１１０の各々によって生成される各信号のタイミングチャート図である。送信装置１１は、ビデオ信号源１０から供給される送信ビデオ信号からビデオ同期信号を抽出し、これに同期したタイミングで符号化ビデオ信号を生成する。すなわち、送信装置１１は、同期信号に従うタイミングで符号化ビデオ信号の構成単位である映像フレームを生成する。送信装置１１は符号化した符号化ビデオ信号を含むビデオパケットを、時間情報パケットとともにネットワーク３０を介して複数の受信装置１２に向けて送信する。ビデオパケットおよび時間情報パケットを受信した各信号処理部１１０は、受信した時間情報に基づいてビデオ同期信号Ｖａを生成する。各信号処理部１１０によって生成されるビデオ同期信号Ｖａは、ネットワーク上におけるパッケト到達間隔のばらつきに起因して各信号処理部１１０毎に異なる位相で出力される。しかしながら、各信号処理部１１０は、同期信号分配部１３０から供給される共通の選択ビデオ信号Ｖｓに基づいて、これと同位相且つ同一周波数のビデオ同期信号Ｖｂを生成する。従って、各信号処理部１１０において生成されるビデオ同期信号Ｖｂは、互いに同位相且つ同一周波数となり、また、その周波数は送信装置１１におけるビデオ同期信号の周波数に一致している。各信号処理部１１０においてビデオ同期信号Ｖｂに従うタイミングで生成される出力ビデオ信号ＶＯ１〜ＶＯＮは、同位相で出力される。これにより、各出力ビデオ信号間の位相差が解消され、出力ビデオ信号の切り替えに伴う不具合を防止することが可能となる。
【００３９】
また、本実施例においては、同期信号分配部１３０にＰＬＬ（位相同期回路）１３３を設けたことにより、出力ビデオ信号選択部１３１が選択した出力ビデオ信号ＶＯ１〜ＶＯＮにノイズ成分が混入した場合でも、各信号処理部１１０に対して安定した選択ビデオ信号Ｖｓの供給を維持することが可能となる。すなわち、ＰＬＬ１３３を構成する電圧制御発振器（ＶＣＸＯ）１３６の周波数変化は、ループフィルタ１３５の時定数によって決定され、時定数が長ければ入力信号にゆっくりと追従し、同期する。従って、出力ビデオ信号ＶＯ１〜ＶＯＮ  にノイズ成分が混入し、これに基づき生成され、ＰＬＬ１３３に入力されるビデオ同期信号に乱れが生じた場合でも、電圧制御発振器（ＶＣＸＯ）１３６は即座に追従しないので、ノイズに影響されず、入力されたビデオ同期信号の平均周波数に安定に同期して発信を継続する。その結果、選択同期信号Ｖｓの安定性も確保されることとなる。
【００４０】
本発明に係る映像信号受信装置１００は、信号処理部１１０、同期信号分配部１３０および制御部１４０がそれぞれ別体として設けられていても、一体的に構成されていても構わない。これらの構成部分を１つの装置として一体的に構成する場合、ＡＴＣＡ規定に基づくシャーシおよびボードによる実現が容易である。例えば、各信号処理部１１０、同期信号分配部１３０および制御部１４０はＡＴＣＡボードで実現し、同期信号分配部１３０からの選択同期信号Ｖｓの信号線はシャーシのバックボードに配線されたクロック配線にて実現し、制御部からの選択指令Ｓ１およびＳ２の信号線はシャーシバックボードに配線されたＬＡＮ配線にて実現可能である。このように、ＡＴＣＡ規格に則ったハードウェアによる実現が可能であるため、既存システムからの構築の簡易化が期待できる。
【図面の簡単な説明】
【００４１】
【図１】従来の映像信号伝送システムの構成を示す図である。
【図２】従来の映像信号の送信装置および受信装置の動作を示すタイミングチャートである。
【図３】本発明の実施例である映像信号受信装置を適用した映像信号伝送システムの構成を示す図である。
【図４】本発明の実施例である映像信号受信装置の構成を示すブロック図である。
【図５】本発明の実施例である映像信号受信装置の動作を示すタイミングチャートである。
【符号の説明】
【００４２】
１０  ビデオ信号源
１１  送信装置
１２  同期信号源
２０  外部装置
３０  ネットワーク
１００  映像信号受信装置
１１０  信号処理部
１１２  ビデオデコーダ
１１５  同期信号生成部
１１６  同期信号抽出部
１３０  同期信号分配部
１３１  出力ビデオ信号選択部
１３３  ＰＬＬ
１４０  制御部
【図１】
2010074497.tif 000003
【図２】
2010074497.tif 000004
【図３】
2010074497.tif 000005
【図４】
2010074497.tif 000006
【図５】
2010074497.tif 000007